(57)【要約】【課題】スクリーンが膨張収縮しても、スクリーンに障害が生じることを防止する。【解決手段】前方に開口を有するフレーム２の開口よりも幾分前方にスクリーン４が位置している。スクリーン４は、前記開口を被い、それぞれスクリーン状のレンチキュラーレンズ６及びフレネルレンズ８を前記開口の前後方向に組み合わせたものである。このスクリーンの周辺部全域に遮光フィルム１０が固定され、フレーム２にフレーム２の前後方向に摺動可能に取り付けられている。この遮光フィルム１０の外方において、スクリーン４の周辺部全域に結合されたシート１８がフレーム２側に遮光フィルム１０を超えて伸延している。シート１８の伸延端の所定箇所に調整具２２が連結されている。調整具２２は、シート１８からの力に応じてフレーム２の前後方向にほぼ沿って伸縮するコイルバネ５０を有している。【選択図】        図１
2004191464.tif 000002
【特許請求の範囲】
【請求項１】
前方に開口を有するフレームと、
このフレームの前記開口よりも幾分前方に位置し、前記開口を被い、それぞれスクリーン状のレンチキュラーレンズ及びフレネルレンズを前記開口の前後方向に組み合わせ、周囲温度の変化によって周辺部が膨張収縮するスクリーンと、
このスクリーンの周辺部全域に固定され、前記フレームに前記フレームの前後方向に摺動可能に取り付けられた遮光フィルムと、
この遮光フィルムの外方において、前記スクリーンの前記周辺部全域に結合され、前記フレーム側に前記遮光フィルムを超えて伸延したシートと、
このシートの伸延端の所定箇所に連結され、前記シートから与えられる力に応じて前記フレームの前後方向にほぼ沿って伸縮する弾性手段を有する調整手段とを、
具備するプロジェクタ用スクリーン取付構造。
【請求項２】
請求項１記載のプロジェクタ用スクリーン取付構造において、前記調整手段は、前記牽引用シートの伸延端部に結合された係合手段と、
この係合手段が係止され、前記フレームの前後方向に沿って摺動可能に設けられた係止手段とを、具備し、前記弾性手段は、前記係止手段を前記フレームの前後方向に沿って摺動可能な付勢力を付与するプロジェクタ用スクリーン取付構造。
【請求項３】
請求項２記載のプロジェクタ用スクリーン取付構造において、前記係止手段は、前記フレームに設けられた支持部に、前記フレームの前後方向に沿って摺動可能に設けられ、前記弾性手段は、前記支持部と前記係止手段との間に設けられているプロジェクタ用スクリーン取付構造。
【発明の詳細な説明】
【０００１】
【発明の属する技術分野】
本発明は、プロジェクタが内蔵される筐体の開口の前方に、スクリーンを取り付ける構造に関する。
【０００２】
【従来の技術】
従来、上記のスクリーン取付構造としては、例えば特許文献１に開示されているようなものがある。
【０００３】
【特許文献１】
特開２０００−２８４３６５号（段落番号００１７乃至００４３）
【０００４】
特許文献１の技術では、プロジェクタを内蔵した筐体の開口を閉塞し、かつこの開口端面を押圧するようにスクリーンが設けられている。このスクリーンは、レンチキュラーレンズとフレネルレンズとからなる。このレンチキュラーレンズの周辺部に接着された遮光フィルムの先端にフックを有するフィルム牽引部材が筐体に進退自在に配置されている。この牽引部材に引っ張りバネが連結され、フィルムを牽引して、各レンズが互いに密接するような方向に移動力を付与している。
【０００５】
この技術によれば、引っ張りバネによってフィルム牽引部材に常に引っ張り力が付与され、レンチキュラーレンズとフレネルレンズとを密接させている。従って、高湿度雰囲気中においてスクリーンが膨張して変形しても、両レンズの密着状態を維持するものである。
【０００６】
【発明が解決しようとする課題】
しかし、特許文献１では、スクリーンは、筐体の開口端面を押圧するように設けられている。そのため、スクリーンが膨張しようとする際に、充分に伸びることができず、スクリーンに歪みが生じる可能性がある。また、逆にスクリーンが収縮しようとする場合にも、充分に縮むことができず、スクリーンに損傷が生じる可能性がある。
【０００７】
本発明は、スクリーンが膨張、収縮しても、スクリーンに何ら障害を生じることがないプロジェクタ用スクリーンの取付構造を提供することを目的とする。
【０００８】
【課題を解決するための手段】
本発明の一態様によるプロジェクタ用スクリーンの取付構造は、フレームを有している。このフレームは、前方に開口を備えている。このフレームの開口よりも幾分前方にスクリーンが位置している。このスクリーンは、フレームの開口を被うもので、レンチキュラーレンズ及びフレネルレンズを有している。これらは、共にそれぞれスクリーン状に形成されている。これらは、フレームの開口の前後方向に組み合わせられている。これら両レンズは、周囲温度の変化によって周辺部が膨張収縮する。これら両レンズのほぼ中央がフレームに固定されていることが望ましい。このスクリーンの周辺部全域に遮光フィルムが固定されている。この遮光フィルムは、フレームに、フレームの前後方向に摺動可能に取り付けられている。この遮光フィルムの外方において、前記スクリーンの前記周辺部全域にシートが結合されている。このシートは、フレーム側に遮光フィルムを超えて伸延している。このシートの伸延端の所定箇所、例えば異なる複数の箇所に調整手段が設けられている。この調整手段は、弾性手段を有し、この弾性手段は、シートから与えられる力に応じてフレームの前後方向にほぼ沿って伸縮する。なお、フレームに取り付けられたスクリーンを複数組み合わせて、プロジェクタ用のマルチスクリーンとすることも可能である。
【０００９】
このように構成されたプロジェクタ用スクリーンの取付構造によれば、スクリーンがシートを介して弾性手段に結合されている。スクリーンが膨張した場合、シートを介して弾性部材にスクリーンが与える力が弱くなり、弾性手段が伸びて、スクリーンをフレーム側に牽引する。従って、スクリーンを構成するレンチキュラーレンズとフレネルレンズとは互いに密着状態を維持する。このとき、スクリーンとフレームの開口との間には隙間があるので、スクリーンはフレームに阻害されることなく、フレームの後方側に牽引される。従って、スクリーンに歪みが生じることはない。また、このとき、遮光フィルムもフレームの後方側に牽引されるが、遮光フィルムは、フレームの前後方向に摺動可能にフレームに取り付けられているので、遮光フィルムが損傷することもない。また、スクリーンが収縮した場合、スクリーンがシートを介して弾性手段に付与する力が大きくなる。そのため、弾性手段が縮んで、その力と均衡した状態でレンチキュラーレンズとフレネルレンズとの密着状態を維持する。このとき、遮光フィルムもフレームの前方側に牽引されるが、遮光フィルムは、フレームの前後方向に摺動可能であるので、遮光フィルムが損傷することはない。このように、スクリーンとフレームの開口との間には、隙間が設けられているので、スクリーンが膨張または収縮しても、スクリーンを構成するレンチキュラーレンズとフレネルレンズとは密着状態を維持し、しかも、スクリーンに歪みや損傷が生じることはない。
【００１０】
調整手段は、シートの伸延端部に結合された係合手段を有するものとすることができる。この係合手段が係止される係止手段が設けられる。この係止手段は、フレームの前後方向に沿って摺動可能に設けられている。この係止係止手段に、弾性手段が、前記フレームの前後方向に沿って摺動可能な付勢力を付与している。
【００１１】
さらに、係止手段は、フレームに設けられた支持部に、フレームの前後方向に沿って摺動可能に設けることができる。弾性手段は、支持部と係止手段との間に設けられている。
【００１２】
【発明の実施の形態】
本発明の１実施の形態のプロジェクタ用スクリーン取付構造は、図２に示すように、フレーム２を有している。このフレーム２は、内部が中空な概略短直方体状に形成され、その前面及び後面がそれぞれ直方形状に開口されている。この後面には、図示していない筐体が取り付けられる。この筐体内にプロジェクタが配置され、前面の開口に向けて、投影を行う。なお、フレーム２を筐体と一体に形成することもできる。
【００１３】
このフレーム２の前面開口側に、スクリーン４が配置されている。このスクリーン４は、図１に示すように、スクリーン状のレンチキュラーレンズ６と、同じくスクリーン状のフレネルレンズ８とを、含み、レンチキュラーレンズ６の背面側に、フレネルレンズ８が接触した状態に配置されている。このスクリーン４は、フレーム２の前面開口よりも幾分前方に配置されて、前面開口の大きさにほぼ一致する大きさであり、前面開口をほぼ被うように配置されている。このスクリーン４は、図示していないが、それの中央部が図示していない固定具によって、フレーム内の適当な固定部（図示せず）に固定されている。
【００１４】
このフレネルレンズ８の全周辺部には、段部が形成され、この段部には、遮光フィルム１０が接着されている。段部を形成し、この段部に遮光フィルム１０を設けているので、遮光フィルム１０が、スクリーン４の周辺部より外方に突出することはない。この遮光フィルム１０は、スクリーン４がフレーム４の前面開口から前方に設けられているので、両者の隙間から、プロジェクタからの光が外部に漏れることを防止するためのものである。この遮光フィルム１０の先端部には、フレームの全周方向に沿って所定間隔ごとに、長孔１２が形成されている。これら長孔１２は、フレームの前後方向に沿って形成されている。これら長孔１２に挿通されたネジ１４が、フレーム２に形成された凹部１６に螺合して、遮光フィルム１０をフレーム２に取り付けている。但し、遮光フィルム１０は、フレーム１０の前後方向にスライド可能に取り付けられている。
【００１５】
この遮光フィルム１０の外方側には、シート１８が配置されている。これらシート１８は、スクリーン４の周辺部に一端部が接着されている。このシート１８の他端部には、所定の間隔を隔てて複数の舌片部１８ａが形成されている。これら舌片部１８ａは、遮光フィルム１０を超えてフレーム２の後方まで伸延し、フレーム２の全周部に形成された溝２０内に設けられた調整具２２に結合されている。
【００１６】
図３及び図４に示すように、調整具２２は、舌片部１８ａを上下からサンドイッチ状に挟んで固定する固定具２４を有している。固定具２４は、図５に示すように、平板状の下側固定部材２４ａと、同じく平板状の上側固定部材２４ｂとからなる。これらの間に舌片部１８ａが挟まれた状態で、両固定部材２４ａ、２４ｂの両端の孔２６ａ、２６ｂに挿通されたポップリベット２８、２８によって両固定部材２４ａ、２４ｂが固定されている。
【００１７】
上側固定部材２４ｂの後縁の両端には、係合部３０、３０が、上側固定部材２４ｂに対して鋭角をなすように下方に向けて一体に形成されている。これら係合部は、概略平板状の係止部材３２の後縁に係止されている。この係止部材３２の後縁中央部から前部側に向かって切欠が形成され、この切欠の内奥部には、下方に向かって伸延した舌片部３２ａが形成されている。
【００１８】
この舌片部３２ａよりも前方において、この舌片部３２ａの両側に位置して、下方に伸延する舌片部３２ｂ、３２ｃが一体に形成されている。
【００１９】
この係止部材３２は、上述した溝２０内に配置された支持部３４に取り付けられている。この支持部３４は、図５に示すように正面部が概略逆Ｕ字状に形成され、この正面部がフレーム２の前後方向にほぼ垂直に位置するように溝２０内に固定されている。上面壁３４ａの中央には、矩形の開口３６が形成されている。この開口３６は、フレーム２の横方向に沿う寸法が、舌片３２ａの幅寸法以上に形成され、さらにフレームの前後方向に沿う寸法が、係止部材３２をフレームの前後方向に所定の距離だけ摺動可能に設定されている。この開口３６内に、係止部材３２の舌片３２ａが挿入されている。
【００２０】
この開口３６の両側には、細長い開口３８、４０が形成されている。これら開口３８、４０には、係止部材３２の舌片３２ｂ、３２ｃが挿通される。これら舌片３２ｂ、３２ｃがフレーム２の前後方向に所定の距離だけ摺動可能に、フレーム２の前後方向に寸法を有している。
【００２１】
従って、係止部材３２は、支持部３４の上面壁３４ａ上を、フレーム２の前後方向に摺動可能である。
【００２２】
舌片３２ｂ、３２ｃは、支持部３２の両側壁に形成された長孔４２に挿通されたボルト４４によってフレーム２の前後方向に摺動可能に、支持部３４に取り付けられている。
【００２３】
この支持部３４の上面壁３４ａの正面側縁部の中央には、これと一体に下方に伸延した舌片部４６が形成されている。この舌片部４６から支持部３４の内部に向けてボルト４８が挿通されている。このボルト４８の先端は、係止部材３２の舌片部３２ａに先端が到達していない。このボルト４８に、弾性手段、例えば一部圧縮されたコイルバネ５０が挿通されている。このコイルバネ５０は、舌片部４６と舌片部３２ａとにそれぞれ接触している。
【００２４】
シート１８の舌片部１８ａが固定部２４に固定され、固定部２４の係合部３０が係止部３２に係合し、係止部３２が支持部３４にフレーム２の前後方向に摺動可能に設けられ、係止部３２がコイルバネ５０によって押圧力を受けているので、スクリーン４の周縁部は、各コイルバネ５０によってフレーム４の後方に牽引されている。但し、或る基準温度において、スクリーン４の周縁がほぼ垂直になるように、スクリーン４が発生する力と均衡する牽引力を、コイルバネ５０は発生している。しかも、コイルバネ５０は、周囲温度が基準温度よりも上昇することによって、スクリーン４が膨張したり、周囲温度が基準温度よりも低下して収縮したりすることにより、スクリーン４がコイルバネ５０に対して与える力が小さくなったり、大きくなったりしたとき、この変化した力と均衡するように、コイルバネ５０は伸縮が可能に形成されている。
【００２５】
このように構成されたスクリーン取付構造では、上述したように、或る基準温度の状態では、スクリーン４がほぼ垂直に位置する。この状態で、プロジェクタから投影が行われた場合、スクリーン４とフレーム２の開口との間の隙間は、遮光フィルム１０が設けられているので、投影光がスクリーンの周辺に漏れることはない。
【００２６】
周囲温度が上昇すると、スクリーン４の中央部が固定されているので、スクリーン４の全周縁部が膨張する。その結果、コイルバネ５０に対してスクリーン４が付与していた力が小さくなり、コイルバネ５０は伸びる。これに伴い、係止部材３２がフレーム２の後方に移動する。係止部材３２に係合している係合部３０も後方に移動し、シート１８の舌片部１８ａも後方に移動する。その結果、スクリーン４の周縁部も後方に牽引され、レンチキュラーレンズ６とフレネルレンズ８との密着状態が維持される。このとき、遮光フィルム１０は、長孔１２に沿って後方に移動するので、遮光フィルム１０が歪むことはない。このとき、スクリーン４とフレーム２の開口との間には、隙間があるので、スクリーン４は後方に撓むことができる。フレーム２とスクリーン４とが当初から接触する状態に形成されているなら、スクリーン４は後方に撓むことができず、スクリーン４のフレネルレンズ８とレンチキュラーレンズ６との密着状態は維持されない。
【００２７】
周囲温度が基準温度よりも低下すると、スクリーン４の中央部が固定されているので、スクリーン４の全周縁部が収縮する。その結果、コイルバネ５０に対してスクリーン４が付与している力が大きくなり、コイルバネ５０は収縮する。これに伴い係止部３２がフレーム２の前方に移動する、係止部材３２に係合している係合部３０も前方に移動し、シート１８の舌片部１８ａも前方に移動する。その結果、スクリーン４の周縁部も前方に撓み、レンチキュラーレンズ６とフレネルレンズ８との密着状態は維持される。このとき、遮光フィルム１０は、長孔１２に沿って前方に移動するので、遮光フィルム１０が歪むことはない。
【００２８】
このように温度変化があっても、スクリーン４を構成するレンチキュラーレンズ６とフレネルレンズ８との密着状態を維持することができる。なお、支持部３４に係止部材３２を取り付けているので、支持部３４の開口３６、３８、４０の寸法によって、スクリーン４の前後への移動距離が予め定めた範囲内に規制されている。
【００２９】
上記の実施の形態では、調整具２２は、固定部２４、係合部３０、係止部材３２、支持部３４等によって構成したが、例えば固定部２４にコイルバネの一端を固定し、他端をフレーム２に固定することもできる。上記のようにして構成したスクリーンを複数組み合わせて、マルチスクリーンを構成することもできる。
【００３０】
【発明の効果】
以上のように、本発明によれば、温度変化による膨張収縮が、スクリーンに生じても、スクリーンを構成するレンチキュラーレンズとフレネルレンズとの密着状態を維持することができ、しかも、温度上昇が生じた場合に、スクリーンやフレームに損傷が生じることがない。
【図面の簡単な説明】
【図１】本発明の１実施形態のプロジェクタ用スクリーン取付構造の部分省略縦断側面図である。
【図２】図１のスクリーン取付構造の斜視図である。
【図３】図１のスクリーン取付構造において使用する調整具の縦断側面図である。
【図４】図３の調整具の側面図である。
【図５】図３の調整具の組み立て図である。
【符号の説明】
２  フレーム
４  スクリーン
６  レンチキュラーレンズ
８  フレネルレンズ
１０  遮光フィルム
１８  シート
２２  調整具
【図１】
2004191464.tif 000003
【図２】
2004191464.tif 000004
【図３】
2004191464.tif 000005
【図４】
2004191464.tif 000006
【図５】
2004191464.tif 000007